(57)【要約】【課題】計量キャップの着脱操作が繰り返し行われても、締め角度が増加して着脱操作を行い難くなるのを効果的に回避できるストッパー付きキャップを提供する。【解決手段】ストッパー付きキャップ１０は、容器本体１１の口首部１１ａに取り付けられる本体キャップ１２と、本体キャップ１２に着脱可能に螺合装着される計量キャップ１３とからなる。ストッパー機構１５は、本体キャップ１２の雄ネジ壁部１７又は内筒壁１８の内周面から内側に突出して設けられた終点突部２３と、計量キャップ１３の液戻し筒部２０の外周面から外側に突出して設けられたストッパー突部２４とからなる。装着スカート部２２の雌ネジ突条２２ａを雄ネジ壁部１７の雄ネジ突条１７ａに所定の締め角度で螺合した時に、ストッパー突部２４のストッパー当接面２４ａが終点突部２３の終点当接面２３ａに当接する。【選択図】図１
2014129105.tif 000002
【特許請求の範囲】
【請求項１】
容器本体の口首部に取り付けられる本体キャップと、該本体キャップに着脱可能に螺合装着される計量キャップとからなり、該計量キャップを前記本体キャップに装着する際の締め角度を規制するストッパー機構を備えるストッパー付きキャップであって、
前記キャップ本体は、前記容器本体の口首部の外周部分に係着される係着スカート部と、該係着スカート部の肩板部から上方に突出して設けられた、外周面に雄ネジ突条を備える雄ネジ壁部と、前記係着スカート部の肩板部の内周縁部から下方に延設して、前記容器本体の口首部の内周面に沿って配置される内筒壁と、該内筒壁の下端部に連設する底面壁と、前記内筒壁と離間して前記底面壁から立設して設けられた、Ｕ字又は略Ｕ字の断面形状を有する注出部とを含んで構成されており、
前記計量キャップは、前記本体キャップへの装着時に前記内筒壁の内側に挿入配置される液戻し筒部と、該液戻し筒部と連設して前記本体キャップの上方に配置される液溜め部と、前記液戻し筒部と前記液溜め部との境界部分から外側に張り出して設けられた、内周面に雌ネジ突条を備える装着スカート部とを含んで構成されており、
前記ストッパー機構は、前記本体キャップの前記雄ネジ壁部又は前記内筒壁の内周面から内側に突出して設けられた終点突部と、前記計量キャップの液戻し筒部の外周面から外側に突出して設けられたストッパー突部とからなり、
前記装着スカート部の雌ネジ突条を前記雄ネジ壁部の雄ネジ突条に所定の締め角度で螺合した時に、前記ストッパー突部のストッパー当接面が前記終点突部の終点当接面に当接するストッパー付きキャップ。
【請求項２】
前記雄ネジ突条及び前記雌ネジ突条が、複数条設けらており、前記終点突部と前記ストッパー突部の少なくとも何れか一方は、複数条の条数に対応して、周方向に間隔をおいて複数設けられている請求項１記載のストッパー付きキャップ。
【請求項３】
前記終点突部の終点当接面と前記ストッパー突部のストッパー当接面は、前記雄ネジ壁部又は前記内筒壁の内周面や前記液戻し筒部の外周面から、周方向に鋭角に延設する楔状テーパー面となっている請求項１又は２記載のストッパー付きキャップ。
【請求項４】
前記内筒壁の内周面に設けられた前記終点突部の直上部分の内周面に、切欠き凹部が形成されている請求項１〜３のいずれか１項記載のストッパー付きキャップ。
【請求項５】
前記ストッパー突部は、前記ストッパー当接面を、前記液戻し筒部の先端部分から前記液溜め部に向けて、前記計量キャップの締付け方向に傾けて斜めに延設させて設けられている請求項１〜４のいずれか１項記載のストッパー付きキャップ。
【請求項６】
前記ストッパー突部は、前記ストッパー当接面とは反対側の側端面を、前記液戻し筒部の先端部分から前記液溜め部に向けて、前記計量キャップの締付け方向とは反対側に傾けて斜めに延設させて設けられている請求項１〜５のいずれか１項記載のストッパー付きキャップ。
【発明の詳細な説明】
【技術分野】
【０００１】
本発明は、ストッパー付きキャップに関し、特に、本体キャップと計量キャップとからなり、計量キャップを本体キャップに螺合装着する際の締め角度を規制するストッパー機構を備えるストッパー付きキャップに関する。
【背景技術】
【０００２】
内容液として例えば液体洗剤等を収容した容器は、これらの内容液を計量してから使用する場合があり、計量用のカップ等を別途に用いることが煩わしいことから、キャップとして内容液を計量する機能を備えた計量キャップを、例えばボトル形状の容器本体の口首部に装着したものが知られている。計量キャップは、例えば目盛り等が描かれた液溜め部に、容器本体の注出部から内容液を注入して計量してから、例えば洗濯機等に注ぎ出すことができるようになっている。
【０００３】
また、計量した内容液を注ぎ出した後に、計量キャップを再び口首部に装着する際に、液溜め部に残った内容液を、液だれさせることなく効率良く容器本体に回収することができるように、容器本体の口首部に、液回収用凹部と注出部とを備える本体キャップを取り付けておき、この本体キャップを介して、計量キャップを容器本体の口首部に着脱可能に装着するようにした液剤注出容器も知られている（例えば、特許文献１参照）。
【０００４】
本体キャップを介して計量キャップを容器本体の口首部に装着するようにした注出容器では、本体キャップは、容器本体の口首部の外周部分に係着される係着スカート部と、係着スカート部の肩板部から上方に突出して設けられた雄ネジ壁部と、係着スカート部の肩板部の内周縁部から下方に延設して、口首部の内周面に沿って配置される内筒壁と、内筒壁の下端部に連設する底面壁と、底面壁から立設して設けられた注出部とを含んで構成されており、内筒壁と底面壁とによって液回収用凹部が形成されている。
【０００５】
一方、計量キャップは、本体キャップへの装着時に内筒壁の内側に挿入配置される液戻し筒部と、液戻し筒部の上方に連設して配置される液溜め部と、液戻し筒部と液溜め部との境界部分から外側に張り出して設けられた、内周面に雌ネジ突条を備える装着スカート部とを含んで構成されており、装着スカート部の雌ネジ突条を、本体キャップの雄ネジ壁部の雄ネジ突条に螺着することで、計量キャップが容器本体の口首部に着脱可能に螺合装着されるようになっている。
【先行技術文献】
【特許文献】
【０００６】
【特許文献１】特開２０００−２２６０５５
【発明の概要】
【発明が解決しようとする課題】
【０００７】
本体キャップを介して計量キャップを容器本体の口首部に装着するようにした注出容器では、計量キャップの着脱が繰り返し行われることによって、例えば雄ネジ壁部の雄ネジ突条や装着スカート部の雌ネジ突条が疲弊し、計量キャップの装着スカート部を本体キャップの雄ネジ壁部に螺合装着する際の締め角度が増加することで、開閉トルクが上昇して、計量キャップの着脱操作を行い難くなる。
【０００８】
計量キャップとは異なる、一般のキャップでは、例えば容器本体の肩部や口首部に、終点突起を設けると共に、計量キャップの内周面にストッパーリブを設けて、終点突起にストッパーリブを当接させることにより、着脱操作が繰り返し行われても締め角度が増加しないようにする対策が講じられているが、計量キャップの装着スカート部の内周面に、雌ネジ突条とは別にストッパーリブを設けると、計量キャップの構造が複雑になると共に、樹脂量が多くなってしまう。
【０００９】
また、本体キャップとカバーキャップとからなるキャップにおいて、本体キャップの雄ネジ突条の下端部と、カバーキャップの雌ネジ突条の端面とを利用して、ストッパーとしての機能を持たせたものも開発されているが、カバーキャップの肉厚を薄くした場合には、カバーキャップの締付け時にカバーキャップの雌ネジ突条が、本体キャップの雄ネジ突条に押されて外側に開きやすくなり、また着脱操作が繰り返し行われると雌ネジ突条が削れることになって、雌ネジ突条の端面が雄ネジ突条の下端部を容易に乗り越え易くなる。さらに、本体キャップを介して計量キャップを容器本体の口首部に装着するようにした注出容器では、本体キャップの液回収用凹部の内周面に付着した内容液を掻き取って、容器本体に回収できるようにすることが望ましい。
【００１０】
本発明は、本体キャップと計量キャップとからなるキャップにおいて、ストッパー突部が終点突部を乗り越えないようにして、計量キャップの着脱操作が繰り返し行われても、締め角度が増加して着脱操作を行い難くなるのを、安定した状態で効果的に回避することができると共に、本体キャップの液回収用凹部の内周面に付着した内容液を効果的に掻き取ることのできるストッパー付きキャップを提供することを目的とする。
【課題を解決するための手段】
【００１１】
本発明は、容器本体の口首部に取り付けられる本体キャップと、該本体キャップに着脱可能に螺合装着される計量キャップとからなり、該計量キャップを前記本体キャップに装着する際の締め角度を規制するストッパー機構を備えるストッパー付きキャップであって、前記キャップ本体は、前記容器本体の口首部の外周部分に係着される係着スカート部と、該係着スカート部の肩板部から上方に突出して設けられた、外周面に雄ネジ突条を備える雄ネジ壁部と、前記係着スカート部の肩板部の内周縁部から下方に延設して、前記容器本体の口首部の内周面に沿って配置される内筒壁と、該内筒壁の下端部に連設する底面壁と、前記内筒壁と離間して前記底面壁から立設して設けられた、Ｕ字又は略Ｕ字の断面形状を有する注出部とを含んで構成されており、前記計量キャップは、前記本体キャップへの装着時に前記内筒壁の内側に挿入配置される液戻し筒部と、該液戻し筒部と連設して前記本体キャップの上方に配置される液溜め部と、前記液戻し筒部と前記液溜め部との境界部分から外側に張り出して設けられた、内周面に雌ネジ突条を備える装着スカート部とを含んで構成されており、前記ストッパー機構は、前記本体キャップの前記雄ネジ壁部又は前記内筒壁の内周面から内側に突出して設けられた終点突部と、前記計量キャップの液戻し筒部の外周面から外側に突出して設けられたストッパー突部とからなり、前記装着スカート部の雌ネジ突条を前記雄ネジ壁部の雄ネジ突条に所定の締め角度で螺合した時に、前記ストッパー突部のストッパー当接面が前記終点突部の終点当接面に当接するストッパー付きキャップを提供することにより、上記目的を達成したものである。
【発明の効果】
【００１２】
本発明のストッパー付きキャップによれば、本体キャップと計量キャップとからなるキャップにおいて、ストッパー突部が終点突部を乗り越えないようにして、計量キャップの着脱操作が繰り返し行われても、締め角度が増加して着脱操作を行い難くなるのを、安定した状態で効果的に回避することができると共に、本体キャップの液回収用凹部の内周面に付着した内容液を効果的に掻き取ることができる。
【図面の簡単な説明】
【００１３】
【図１】本発明の好ましい一実施形態に係るストッパー付きキャップを、本体キャップから計量キャップを取り外した状態で示す斜視図である。
【図２】本発明の好ましい一実施形態に係るストッパー付きキャップを、計量キャップを透視した状態で示す破断斜視図である。
【図３】本体キャップの破断斜視図である。
【図４】（ａ）は、終点突部の他の形状を説明する終点突部の取り付け位置における本体キャップの略示端面図、（ｂ）は、ストッパー突部の形状を説明するストッパー突部の取り付け位置における計量キャップの略示端面図、（ｃ）は、終点突部にストッパー突部を係着させる状況を説明する略示端面図である。
【図５】本体キャップの他の形態を例示する斜視図である。
【図６】計量キャップの他の形態を例示する部分破断側面図である。
【発明を実施するための形態】
【００１４】
本発明の好ましい一実施形態に係るストッパー付きキャップ１０は、図１及び図２に示すように、容器本体１１の口首部１１ａに固着された本体キャップ１２と、本体キャップ１２に着脱可能に螺合装着される計量キャップ１３とからなり、容器本体１１に収容された内容液として例えば液体洗剤を、本体キャップ１２の注出部１４から計量キャップ１３に注入して計量した後に、例えば洗濯機等に注ぎ出すことができるようになっている。本実形態のストッパー付きキャップ１０は、計量キャップ１３が本体キャップ１２に繰り返し着脱されても、計量キャップ１３を本体キャップ１２に装着する際の締め角度が一定に保持されるようにして、計量キャップ１３の着脱操作を行い易くする機能を備える。
【００１５】
そして、本実施形態のストッパー付きキャップ１０は、図２及び図３にも示すように、容器本体１１の口首部１１ａに取り付けられる本体キャップ１２と、本体キャップ１２に着脱可能に螺合装着される計量キャップ１３とからなり、計量キャップ１３を本体キャップ１２に装着する際の締め角度を規制するストッパー機構１５を備えるキャップである。キャップ本体１２は、容器本体１１の口首部１１ａの外周部分に係着される係着スカート部１６と、係着スカート部１６の肩板部１６ａから上方に突出して設けられた、外周面に雄ネジ突条１７ａを備える雄ネジ壁部１７と、係着スカート部１６の肩板部１６ａの内周縁部から下方に延設して、容器本体１１の口首部１１ａの内周面に沿って配置される内筒壁１８と、内筒壁１８の下端部に連設する底面壁１９と、内筒壁１８と離間して底面壁１９から立設して設けられた、Ｕ字又は略Ｕ字の断面形状を有する注出部１４とを含んで構成されている。計量キャップ１３は、本体キャップ１２への装着時に内筒壁１８の内側に挿入配置される液戻し筒部２０と、液戻し筒部２０と連設して本体キャップの上方に配置される液溜め部２１と、液戻し筒部２０と液溜め部２１との境界部分から外側に張り出して設けられた、内周面に雌ネジ突条２２ａを備える装着スカート部２２とを含んで構成されている。ストッパー機構１５は、本体キャップ１２の雄ネジ壁部１７又は内筒壁１８の内周面から内側に突出して設けられた終点突部２３と、計量キャップ１３の液戻し筒部２０の外周面から外側に突出して設けられたストッパー突部２４とからなり、装着スカート部２２の雌ネジ突条２２ａを雄ネジ壁部１７の雄ネジ突条１７ａに所定の締め角度で螺合した時に、ストッパー突部２４のストッパー当接面２４ａが終点突部２３の終点当接面２３ａに当接するようになっている。
【００１６】
ここで、装着スカート部２２の雌ネジ突条２２ａを、雄ネジ壁部１７の雄ネジ突条１７ａに螺合させる所定の締め角度は、本体キャップ１２の雄ネジ壁部１７の上端部と、計量キャップ１３の装着スカート部２２の肩板部２２ｂの内側面とのシール性（図３参照）、及び計量キャップ１３の液戻し筒部２０の先端部と本体キャップ１２の内筒壁１８の下部内側面とのシール性（図３参照）が、十分に確保できる程度の締め角度である。すなわち、計量キャップ１３の装着スカート部２２を本体キャップ１２の雄ネジ壁部１７に締め付けて、これらの間に十分なシール性が得られた直後に、ストッパー突部２４のストッパー当接面２４ａが終点突部２３の終点当接面２３ａに当接するようになっている。
【００１７】
また、本実施形態では、雄ネジ壁部１７の雄ネジ突条１７ａ及び装着スカート部２２の雌ネジ突条２２ａは、２条ネジ（多条ネジ）を構成するように、２条（複数条）設けられている。これに伴って、終点突部２３とストッパー突部２４の少なくとも何れか一方（本実施形態では、ストッパー突部２４）は、２条（複数条）の条数に対応させて、周方向に１８０°の間隔をおいて２箇所に設けられている（図１及び図２では、１箇所のみ表示している）。
【００１８】
本実施形態では、本体キャップ１２は、例えばポリプロピレン、ポリエチレン等の合成樹脂を用いた金型成形品であって、上述のように、係着スカート部１６と、雄ネジ壁部１７と、内筒壁１８と、底面壁１８と、注出部１４とを含んで構成されている。図３にも示すように、係着スカート部１６の下端部内周面には、係着凹凸部１６ｂが設けられている。本体キャップ１２を容器本体１１の口首部１１ａに上方から押し込んで、係着凹凸部１６ｂを容器本体１１の口首部１１ａの基端部に設けられた被係着凹凸部１１ｂに係着させることで、本体キャップ１２が容器本体１１の口首部１１ａに一体として固着される。
【００１９】
また、内筒壁１８と底面壁１８とは、雄ネジ壁部１７と共に、計量キャップ１３の装着時に液戻し筒部２０が挿入配置される液回収用凹部を形成する。底面壁１８は、片側に斜めに傾斜して設けられている。底面壁１８の中央部分に形成された流出開口２５は、傾斜した底面壁１８の最も低い部分まで切り欠かれており、この切り欠かれた部分が、液戻し開口部２５ａとなっている。Ｕ字又は略Ｕ字の断面形状を有する注出部１４は、内筒壁１８と離間して、流出開口２５の開口周縁部から立設すると共に、Ｕ字又は略Ｕ字の開放側を、最も低い液戻し開口部２５ａ側に向けて配置して、雄ネジ壁部１７の上方まで延設して設けられている。
【００２０】
計量キャップ１０もまた、例えばポリプロピレン、ポリエチレン等の合成樹脂を用いた、好ましくは透明又は半透明の金型成形品であって、上述のように、液戻し筒部２０と、液溜め部２１と、装着スカート部２２とを含んで構成されている。本実施形態では、図１及び図２に示すように、液戻し筒部２０と、液溜め部２１とは、連続する有底円筒形状を形成しており、内周面や外周面に軽量目盛り等が適宜描かれている。液戻し筒部２０は、装着スカート部２２の雌ネジ突条２２ａを雄ネジ壁部１７の雄ネジ突条１７ａに締め付けて、雄ネジ壁部１７の上端部と、計量キャップ１３の装着スカート部２２の肩板部２２ｂの内側面とが密着した際に、当該液戻し筒部２０の先端部が、本体キャップ１２の内筒壁１８の下部内側面に密着する長さとなるように形成されている。
【００２１】
本実施形態では、計量キャップ１３を本体キャップ１２に装着する際の締め角度を規制するストッパー機構１５は、上述のように、本体キャップ１２の雄ネジ壁部１７又は内筒壁１８の内周面に設けられた終点突部２３と、計量キャップ１３の液戻し筒部２０の外周面に設けられたストッパー突部２４とからなる。図１に示すように、終点突部２３は、本実施形態では、矩形の正面形状を有するコマ板形状の突部となっている。終点突部２３は、本体キャップ１２の剛性が高くなっている部分として、内筒壁１８における内径が計量キャップ１３の液戻し筒部２０の外径よりも僅かに大きくなった部分の内周面から突出して、１箇所に設けられている。終点突部２３は、内筒壁１８の内周面から例えば０．５〜５ｍｍ程度の高さで突出しており、計量キャップ１３の締め付け方向とは反対側の辺部に沿った端面が、終点当接面２３ａとなっている。
【００２２】
終点突部２３は、本体キャップ１２の剛性が高くなっている部分として、雄ネジ壁部１７の内周面から内側に突出して設けることもできるが、終点突部２３を内筒壁１８の内周面から突出して設けることにより、終点突部２３の突出高さを抑制することが可能になる。終点突部２３は、２条ネジの条数に対応させて、周方向に１８０°の間隔をおいて２箇所に設けることもできる。
【００２３】
ストッパー突部２４は、本実施形態では、計量キャップ１３の剛性が高くなっている部分として、液戻し筒部２０の外周面から突出して設けられた、液戻し筒部２０の軸方向に延設する帯板形状の突部となっている。ストッパー突部２４は、２条ネジの条数に対応させて、周方向に１８０°の間隔をおいて２箇所に設けられている。ストッパー突部２４は、液戻し筒部２０の外周面から例えば０．５〜５ｍｍ程度の高さで突出しており、計量キャップ１３の締め付け方向側の辺部に沿った端面が、ストッパー当接面２４ａとなっている。
【００２４】
ストッパー突部２４は、終点突部２３の位置に対応させて、コマ板形状の突部として設けることもできるが、ストッパー突部２４を相当の長さを有する帯板形状の突部として設けることにより、計量キャップ１３を螺着してゆく際に、ストッパー当接面２４ａによって、液回収用凹部を形成する内筒壁１８の内周面に付着した内容液を掻き取るスクイレパー機能を、より効果的に発揮させることが可能になる。ストッパー突部２４は、終点突部２３が周方向に間隔をおいて２箇所に設けられている場合には、１箇所にのみ設けることもできる。
【００２５】
そして、上述の構成を備える本実施形態のストッパー付きキャップ１０によれば、ストッパー突部２４が終点突部２３を乗り越えないようにして、計量キャップ１３の着脱操作が繰り返し行われても、締め角度が増加して着脱操作を行い難くなるのを、安定した状態で効果的に回避することが可能になると共に、本体キャップ１２の液回収用凹部の内周面に付着した内容液を効果的に掻き取ることが可能になる。
【００２６】
すなわち、本実施形態によれば、ストッパー機構１５を構成する終点突部２３やストッパー突部２４は、雄ネジ壁部１７の雄ネジ突条１７ａの部分や、装着スカート部２２の雌ネジ突条２２ａの部分ではなく、剛性が高くなっている部分である本体キャップ１２の内筒壁１８の内周面や、計量キャップ１３の液戻し筒部２０の外周面から突出して設けられているので、雌ネジ突条２２ａを雄ネジ突条１７ａに所定の締め角度で螺合した時に、ストッパー突部２４のストッパー当接面２４を終点突部２３の終点当接面２３ａに、相当の大きさの当接面積で確実に当接させることが可能になる。これによって、雄ネジ突条１７ａや雌ネジ突条２２ａを疲弊させないようにすることが可能になると共に、計量キャップ１３の着脱操作が繰り返し行われても、締め角度が増加して着脱操作を行い難くなるのを、安定した状態で効果的に回避することが可能になる。またストッパー突部２４は、装着スカート部２２の雌ネジ突条２２ａを雄ネジ壁部１７の雄ネジ突条１７ａに螺合し始めてから、終点突部２３に当接するまでの間や、反対側に回転させて螺合状態が開放されるまでの間に、液回収用凹部の内周面に近接配置された状態を保持して、当該内周面に沿って周方向にスライド移動してゆくことになるので、特に液回収用凹部の内筒壁１８の内周面に付着した内容液を、当該ストッパー突部２４によって効果的に掻き取ることが可能になる。
【００２７】
また、本実施形態のストッパー付きキャップ１０によれば、図４（ａ）〜（ｃ）に示すように、終点突部２３の終点当接面２３ａとストッパー突部２４のストッパー当接面２４ａを、内筒壁１８の内周面や液戻し筒部２０の外周面から、周方向に鋭角に延設する楔状テーパー面とすることもできる。これによって、計量キャップ１３を本体キャップ１２に締め付けて装着する際に、ストッパー突部２４のストッパー当接面２４ａを、終点突部２３の終点当接面２３ａに、先端側から係止しながらスムーズに当接させることが可能になると共に、内筒壁１８と液戻し筒部２０とが互いに引き合うような力を生じさせて、ストッパー突部２４のストッパー当接面２４ａを終点突部２３の終点当接面２３ａに、さらに確実に当接させることが可能になる。
【００２８】
さらに、本実施形態のストッパー付きキャップ１０によれば、図５に示すように、本体キャップ１２の内筒壁１８の内周面に設けられた終点突部２３の直上部分の内周面に、切欠き凹部２６を形成することもできる。これによって、計量キャップ１３の締め付け時に、ストッパー突部２４でかきとった内容液を、切欠き凹部２６を介して流出開口２５の液戻し開口部２５ａにスムーズに落とすことで、液だれを防止したり、液だれするまでの時間を遅延させたりすることが可能になる。
【００２９】
さらにまた、本実施形態のストッパー付きキャップ１０によれば、図６に示すように、計量キャップ１３の液戻し筒部２０の外周面に設けられたストッパー突部２４は、ストッパー当接面２４ａを、液戻し筒部２０の先端部分から液溜め部２１に向けて、計量キャップ１３の締付け方向に傾けて斜めに延設させて設けることもできる。これによって、計量キャップ１３を螺着して締め付けてゆく際に、ストッパー当接面２４ａによる内筒壁１８の内周面に付着した内容液を掻き取って落とし込むスクイレパー機能を、さらに効果的に発揮させることが可能になる。また、ストッパー突部２４のストッパー当接面２４ａとは反対側の側端面２４ｃを、液戻し筒部２０の先端部分から液溜め部２１に向けて、計量キャップ１３の締付け方向とは反対側に傾けて斜めに延設させて設けることもできる。これによって、計量キャップ１３を締付け方向とは反対側に回転させて、螺着した状態を開放してゆく際に、ストッパー当接面２４ａとは反対側の側端面２４ｂによる内筒壁１８の内周面に付着した内容液を掻き取って落とし込むスクイレパー機能を、さらに効果的に発揮させることが可能になる。またこれによって、計量キャップ１３を閉めた後に、内筒壁１８に付着した内容液が容器本体１１に回収されないまま保管されても、計量キャップ１３を回転さてあける際に内容液を下方に掻き落とすことが可能となり、内容液を注いで使う際に液だれが起こるのを防止することが可能になる。
【００３０】
また、従来のキャップのように、ネジ部にストッパー機能を持たせる場合、成形後金型から抜く際に、ネジ方向と逆回転しながらぬく等の作業が生じ、生産効率が下がったり、無理やりネジを引っかきながら抜くことで、ネジが変形し、成形品の寸法精度が悪くなったりする。一方、本発明ののように、本体キャップの液回収用凹部の内周面や、計量キャップの液戻し筒部の外周面にストッパー凸部を設けた場合には、本体キャップや計量キャップをストレートに金型から抜くことが出来ることに加え、成形精度を維持した成形品を作ることが可能となる。
【００３１】
なお、本発明は上記実施形態に限定されることなく種々の変更が可能である。例えば、雄ネジ突条や雌ネジ突条は、２条ネジを構成するものである必要は必ずしも無く、１条ネジ又は３条ネジ等を構成するものであっても良い。終点突部やストッパー突部は、３箇所以上に設けることもできる。計量キャップは、容器本体に収容された、液体洗剤以外の内容液を計量するものであっても良い。
【符号の説明】
【００３２】
１０  ストッパー付きキャップ
１１  容器本体
１１ａ  口首部
１２  本体キャップ
１３  計量キャップ
１４  注出部
１５  ストッパー機構
１６  係着スカート部
１６ａ  肩板部
１７  雄ネジ壁部
１７ａ  雄ネジ突条
１８  内筒壁
１９  底面壁
２０  液戻し筒部
２１  液溜め部
２２  装着スカート部
２２ａ  雌ネジ突条
２３  終点突部
２３ａ  終点当接面
２４  ストッパー突部
２４ａ  ストッパー当接面
２４ｂ  ストッパー当接面とは反対側の側端面
２５  流出開口
２６  切欠き凹部
【図１】
2014129105.tif 000003
【図２】
2014129105.tif 000004
【図３】
2014129105.tif 000005
【図４】
2014129105.tif 000006
【図５】
2014129105.tif 000007
【図６】
2014129105.tif 000008